(57)【要約】      （修正有）【課題】かご壁の強度及び剛性を十分に確保し、且つ、窓部の配置を任意に設定及び変更することができるエレベータのかご装置を得る。【解決手段】エレベータのかご床に立設されたハニカム構造を有するかご壁枠５と、かご壁枠の六角形状を呈する孔部に着脱自在に設けられ、かご室の壁面を形成する複数のパネルとを備えることにより、透明度を有するガラスパネル７によって窓部を形成し、この窓部を、かごに装着される機器類や、ケーブル類の配線位置に合わせて適切な位置に配置する。【選択図】図４
2007197131.tif 000002
【特許請求の範囲】
【請求項１】
エレベータのかご床に立設されたハニカム構造を有するかご壁枠と、
前記かご壁枠の六角形状を呈する孔部に着脱自在に設けられ、かご室の壁面を形成する複数のパネルと、
を備えたことを特徴とするエレベータのかご装置。
【請求項２】
かご壁枠は、かご壁全体に設けられ、パネルによってかご室の壁面全体が形成されたことを特徴とする請求項１に記載のエレベータのかご装置。
【請求項３】
エレベータのかご床に立設された下部かご壁と、
前記下部かご壁に立設されたハニカム構造を有するかご壁枠と、
前記かご壁枠の六角形状を呈する孔部に着脱自在に設けられ、前記下部かご壁とともにかご室の壁面を形成する複数のパネルと、
を備えたことを特徴とするエレベータのかご装置。
【請求項４】
パネルは、所定の透明度を有する透明パネルを備え、かご内の乗客が、前記透明パネルを介して前記かごの外部を見ることができることを特徴とする請求項１から請求項３の何れかに記載のエレベータのかご装置。
【請求項５】
透明パネルは、かご壁枠の六角形状を呈する任意の孔部に着脱自在であることを特徴とする請求項４に記載のエレベータのかご装置。
【請求項６】
パネルは、所定の透明度を有する透明部と、透明度を有さない非透明部とからなる複合パネルを備えたことを特徴とする請求項１から請求項５の何れかに記載のエレベータのかご装置。
【発明の詳細な説明】
【技術分野】
【０００１】
この発明は、エレベータ昇降路内を昇降するかご装置に関するものである。
【背景技術】
【０００２】
エレベータ昇降路内を昇降する従来のかご装置には、かご床から立設された側壁板の内側側面にハニカム構造の所定の部材を接着固定した後、このハニカム構造の部材の内側に、鋼板（合板）と大理石板とを接着固定することにより、かご壁の表面を大理石で覆うとともに、かご壁の圧縮曲げ及び剛性の向上、並びに、軽量化を実現させたものが提案されている（例えば、特許文献１参照）。
【０００３】
【特許文献１】特開平６−１１５８５９号公報
【発明の開示】
【発明が解決しようとする課題】
【０００４】
最近のエレベータ装置には、全面又は一部ガラス張りの昇降路を採用するものが増加している。このようなエレベータ装置では、外部から昇降路内を見ることができるため、防犯性を高めることができるとともに、展望用としても利用することが可能である。しかし、かかる構成のエレベータ装置では、昇降路のガラス張りの部分に対応してかご壁の一部に窓部を形成しなければならず、かごに装備される機器類の配置やケーブル類の配線に制限が加わってかごの設計が困難になるとともに、エレベータ装置毎に詳細な設計が必要となってコスト高を招来する要因となっていた。また、かごの据付後にエレベータ機器類を追加したり、ケーブル類の配線をしたりすることは、特に大きな窓部を採用した場合に困難なものとなっていた。
【０００５】
なお、特許文献１記載のものは、ハニカム構造の特性から、圧縮曲げや剛性が向上されて、且つ、軽量化が図られているが、その構造上、かご壁の一部に窓部を形成することは困難であり、上記のようなエレベータ装置に対応させることはできなかった。
【０００６】
この発明は、上述のような課題を解決するためになされたもので、その目的は、かご壁の強度及び剛性を十分に確保し、且つ、窓部の配置を任意に設定及び変更することができるエレベータのかご装置を提供することである。
【課題を解決するための手段】
【０００７】
この発明に係るエレベータのかご装置は、エレベータのかご床に立設されたハニカム構造を有するかご壁枠と、かご壁枠の六角形状を呈する孔部に着脱自在に設けられ、かご室の壁面を形成する複数のパネルとを備えたものである。
【０００８】
また、この発明に係るエレベータのかご装置は、エレベータのかご床に立設された下部かご壁と、下部かご壁に立設されたハニカム構造を有するかご壁枠と、かご壁枠の六角形状を呈する孔部に着脱自在に設けられ、下部かご壁とともにかご室の壁面を形成する複数のパネルとを備えたものである。
【発明の効果】
【０００９】
この発明は、エレベータのかご床に立設されたハニカム構造を有するかご壁枠と、かご壁枠の六角形状を呈する孔部に着脱自在に設けられ、かご室の壁面を形成する複数のパネルとを備える構成としたことで、かご壁の強度及び剛性を十分に確保し、且つ、窓部の配置を任意に設定及び変更することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータのかご装置の斜視図、図２はこの発明の実施の形態１におけるかご壁枠を示す図である。図１及び図２において、エレベータ昇降路内を昇降するかご１に形成されて乗客が乗降するかご室は、床面を形成するかご床２と、壁面を形成するかご壁３と、天井面を形成するかご天井４とから構成される。そして、かご壁３は、四方を取り囲むようにかご床２に立設され、所定の強度及び剛性を有している。
【００１２】
上記かご壁３は、かご床２に立設されたハニカム構造を有するかご壁枠５と、かご壁枠５に形成された六角形状を呈する各孔部に嵌め込まれて固定される複数の壁パネル６及びガラスパネル７とから構成される。ここで、上記かご壁枠５は、かご壁３全体に渡って六角形状を呈する孔部が形成されるように設けられている。なお、実施の形態１において、請求の範囲におけるパネルは、上記壁パネル６と上記ガラスパネル７とからなる。
【００１３】
図３及び図４は、図１に示すエレベータのかご装置の組立時における要部詳細図であり、かご壁枠５に壁パネル６やガラスパネル７を取り付ける際の状態を示したものである。図３及び図４において、かご壁枠５は、薄板状を呈する複数の支持体５ａが組み合わされることによって六角形状の孔部が形成されており、各支持体５ａには、かご壁３の厚み方向の所定位置に、壁パネル６及びガラスパネル７を取り付けるための取付孔５ｂが設けられている。ここで、かご壁枠５の孔部に取り付けられる上記壁パネル６は、かご壁枠５の孔部とほぼ同じ大きさを有する六角形状の枠体６ａと、この枠体６ａの内側に設けられ、壁パネル６がかご壁枠５に取り付けられた際にかご室の壁面の一部を形成する壁部６ｂと、枠体６ａに設けられ、支持体５ａの取付孔５ｂに係合することによって枠体６ａ及び壁部６ｂを支持体５ａに固定する係合片とから構成される。
【００１４】
なお、壁部６ｂは、かご室の壁面を形成するため、所定の模様や質感、材質等が任意に選択される。また、実施の形態１における壁パネル６の係合片は、枠体６ａの両側に、壁部６ｂの裏側に突出するように設けられた板バネ６ｃと、各板バネ６ｃの外側側面に設けられたツメ部６ｄとから構成される。そして、上記構成を有する壁パネル６をかご壁枠５に取り付ける場合には、係合片をかご壁枠５の孔部に挿入した状態で壁パネル６をかご室の内側からかご壁枠５に押し込むことにより、係合片を上記取付孔５ｂに係合させて、壁パネル６を固定する。また、この壁パネル６をかご壁枠５から取り外す場合は、係合片と取付孔５ｂとの係合状態を解除して、壁パネル６をかご室内側に引き抜く。即ち、上記壁パネル６は、かご壁枠５の任意の孔部に対して着脱自在に設けられており、その取り替えや補修等が容易に実施できるように構成されている。
【００１５】
一方、かご壁枠５の孔部に取り付けられるガラスパネル７も、基本的に壁パネル６と同様の構成を有している。即ち、ガラスパネル７は、かご壁枠５の孔部とほぼ同じ大きさを有する六角形状の枠体７ａと、所定の透明度を有するとともに、枠体７ａの内側に設けられ、ガラスパネル７がかご壁枠５に取り付けられた際にかご室の壁面の一部を形成するガラス部７ｂと、枠体７ａに設けられ、支持体５ａの取付孔５ｂに係合することによって枠体７ａ及びガラス部７ｂを支持体５ａに固定する係合片とから構成される。
【００１６】
ここで、ガラス部７ｂは、かご室の壁面を形成するため、所定の模様や透明度、色彩等が任意に選択されている。また、実施の形態１におけるガラスパネル７の係合片は、枠体７ａの両側に、ガラス部７ｂの裏側に突出するように設けられた板バネ７ｃと、この板バネ７ｃの外側側面に設けられたツメ部７ｄとから構成される。そして、ガラスパネル７は、壁パネル６と同様の操作により、かご壁枠５の任意の孔部に対して着脱自在に設けられており、その取り替えや補修等が容易に実施できるようになっている。
【００１７】
なお、実施の形態１において、特許請求の範囲における透明パネルは、所定の透明度を有する上記ガラスパネル７からなり、このガラスパネル７の配置によってかご壁３の窓部が形成される。即ち、展望用エレベータでは、かご室内の乗客は、ガラスパネル７により構成された窓部とガラス張りにされた昇降路壁とを介してかご１の外側を見ることができる。また、防犯用のエレベータ装置では、外部の人は、ガラス張りにされた昇降路壁とガラスパネル７により構成された窓部とを介してかご室内の状態を見ることができる。なお、窓部を構成する透明パネルは、所定の透明度を有するものであれば、その材質はガラスに限るものではない。
【００１８】
実施の形態１によれば、かご壁枠５に形成された六角形状を呈する任意の孔部に、壁パネル６及びガラスパネル７を設置することができるため、ガラスパネル７により構成される窓部の配置を、かご１に装備される機器類の配置やケーブル類の配線位置に合わせて、自由に設定することができる。また、壁パネル６及びガラスパネル７がかご壁枠５の孔部に着脱自在に構成されているため、かご壁３に形成される窓部の配置が、例えば、エレベータ装置の据付後に変更になった場合であっても、壁パネル６とガラスパネル７とを入れ替えることにより、窓部の配置や形を容易に変更することが可能となる。したがって、機器類を後から追加したり、追加された機器類のケーブル類を後から配線したりする場合でも、容易に対応することができる。
【００１９】
また、かご壁３がハニカム構造を呈するかご壁枠５によって構成されているため、従来例のように鋼板等からなる側壁板をかご壁３の最外部に設ける必要もなく、かご壁枠５のみでかご壁３の強度や剛性を十分に確保することができる。このため、壁パネル６やガラスパネル７を嵌め込むことによってかご壁３を形成する上記構造を実現することが可能となる。
【００２０】
なお、図４に示す壁パネル６は、かご壁枠５に取り付けられた際に、枠体６ａがかご室の壁面に見えるように構成されているが、意匠性を向上させるため、枠体６ａの一側に板状の壁部６ｂを取り付け、壁パネル６をかご壁枠５に取り付けた際に、枠体６ａがかご室内の乗客から見えなくなるように構成しても良い。
【００２１】
また、実施の形態１では、かご床２に立設されたかご壁枠５をかご壁３の全体に設けて、壁パネル６及びガラスパネル７によってかご室の壁面全体を形成するようにしているが、かご壁３の所定の高さから上方にかご壁枠５を設けて、壁パネル６及びガラスパネル７によってかご室の壁面の一部を形成するようにしても良い。即ち、かご床２に、曲成された鋼板等からなる下部かご壁を立設して、この下部かご壁の上部にハニカム構造を有するかご壁枠５を立設することにより、かご室の下部壁面を下部かご壁の一側面によって、また、かご室の上部壁面をかご壁枠５の孔部に取り付けられた壁パネル６及びガラスパネル７によって形成するようにしても良い。かかる構成を有することにより、窓部を形成する可能性のある部分にのみ壁パネル６及びガラスパネル７を採用し、据付性の向上及びコストの低減を図ることも可能となる。
【００２２】
実施の形態２．
図５はこの発明の実施の形態２におけるエレベータのかご装置の斜視図、図６は図５に示すエレベータのかご装置の組立時における要部詳細図である。図５及び図６において、８は壁パネル６やガラスパネル７と同様に、かご壁枠５に形成された六角形状を呈する孔部に嵌め込まれて固定されるパネルであり、所定の透明度を有する透明部と、透明度を有さない非透明部とを両方備えた複合パネルを示している。なお、この複合パネル８は、透明部と非透明部とに所定の位置で分割された分割構造を有している。
【００２３】
即ち、この複合パネル８は、互いに組み合わされることによってかご壁枠５の孔部とほぼ同じ大きさを有する六角形状の枠体を構成する第１枠体８ａ及び第２枠体８ｂと、第１枠体８ａの内側に設けられ、複合パネル８がかご壁枠５に取り付けられた際にかご室の壁面の一部を形成する壁部８ｃと、第２枠体８ｂの内側に設けられ、複合パネル８がかご壁枠５に取り付けられた際にかご室の壁面の一部を形成するガラス部８ｄと、第１枠体８ａ及び第２枠体８ｂにそれぞれ設けられ、支持体５ａの取付孔５ｂに係合することによって第１枠体８ａ及び第２枠体８ｂ、壁部８ｃ及びガラス部８ｄを支持体５ａに固定する係合片とから構成される。ここで、上記非透明部は、第１枠体８ａ、壁部８ｃ及び一方の係合片から、上記非透明部は、第２枠体８ｂ、ガラス部８ｄ及び他方の係合片からなる。
【００２４】
なお、壁部８ｃ及びガラス部８ｄは、かご室の壁面を形成するため、実施の形態１における壁部６ｂ及びガラス部７ｂと同様に、所定の模様、材質、透明度等が任意に選択されている。また、実施の形態２における複合パネル８の係合片は、第１枠体８ａ及び第２枠体８ｂにそれぞれ１つずつ設けられ、互いに対向するように配置された板バネ８ｅと、各板バネ８ｅの外側側面に設けられたツメ部８ｆとから構成される。そして、上記構成を有する複合パネル８をかご壁枠５に取り付ける場合には、図７に示すように、透明部及び非透明部を折り曲げて、係合片をかご壁枠５の孔部に挿入した状態で複合パネル８をかご室の内側からかご壁枠５に押し込むことにより、係合片を取付孔５ｂに係合させ、且つ、透明部及び非透明部の対向端面同士に設けられた凹凸部９を係合させて複合パネル８を固定する。また、この複合パネル８をかご壁枠５から取り外す場合には、係合片と取付孔５ｂとの係合状態を解除して、透明部及び非透明部を折り曲げるようにして複合パネル８をかご室内側に引き抜く。即ち、上記複合パネル８も、壁パネル６やガラスパネル７と同様に、かご壁枠５の任意の孔部に対して着脱自在に設けられており、その取り替えや補修等が容易に実施できるように構成されている。
【００２５】
実施の形態２によれば、一つのパネルに透明部と非透明部とを有する複合パネル８を適切な位置に配置することにより、かご壁３に形成する窓部を、長方形や円形、所定の図柄等、様々な形にすることができる。なお、その他は、実施の形態１と同様の構成及び効果を有する。
【図面の簡単な説明】
【００２６】
【図１】この発明の実施の形態１におけるエレベータのかご装置の斜視図である。
【図２】この発明の実施の形態１におけるかご壁枠を示す図である。
【図３】図１に示すエレベータのかご装置の組立時における要部詳細図である。
【図４】図１に示すエレベータのかご装置の組立時における要部詳細図である。
【図５】この発明の実施の形態２におけるエレベータのかご装置の斜視図である。
【図６】図５に示すエレベータのかご装置の組立時における要部詳細図である。
【図７】図６に示す複合パネルの取付方法を示す図である。
【符号の説明】
【００２７】
１  かご
２  かご床
３  かご壁
４  かご天井
５  かご壁枠
５ａ  支持体
５ｂ  取付孔
６  壁パネル
６ａ、７ａ  枠体
６ｂ、８ｃ  壁部
６ｃ、７ｃ、８ｅ  板バネ
６ｄ、７ｄ、８ｆ  ツメ部
７  ガラスパネル
７ｂ、８ｄ  ガラス部
８  複合パネル
８ａ  第１枠体
８ｂ  第２枠体
９  凹凸部
【図１】
2007197131.tif 000003
【図２】
2007197131.tif 000004
【図３】
2007197131.tif 000005
【図４】
2007197131.tif 000006
【図５】
2007197131.tif 000007
【図６】
2007197131.tif 000008
【図７】
2007197131.tif 000009